(57)【特許請求の範囲】
【請求項１】
端子台本体と、
前記端子台本体上に所定間隔を隔てて立設された複数の壁部と、
前記端子台本体上に設けられ、前記隣接する壁部間に配設された端子接続部と、
１個または複数個の前記端子接続部毎に設けられ、前記端子接続部を被覆するカバー部材と、
前記壁部のそれぞれに取り付けられるカバー取付部材とを備え、
前記カバー取付部材は、
カバー取付本体と、
前記カバー取付本体の底面部に形成され、前記壁部の上端部に嵌め込まれる凹部と、
前記カバー取付本体の側面部に形成され、前記カバー部材の側面部をスライド可能に支持する溝部と
を有することを特徴とする端子台。
【請求項２】
前記端子接続部および前記カバー取付部材は、少なくとも前記カバー部材の前記スライド方向に並列に設けられ、
前記カバー部材は、当該カバー部材の長手方向が前記並列に配置された前記２個の端子接続部を跨るような長さに選定され、前記並列に配置された前記カバー取付部材の前記溝部にスライド可能に支持された
ことを特徴とする請求項１に記載の端子台。
【請求項３】
前記カバー取付部材の前記溝部は、当該溝部の溝方向の少なくとも一部に曲部を有する
ことを特徴とする請求項１または２に記載の端子台。
【請求項４】
前記カバー部材は、
前記端子接続部の上面を被覆する上面カバー部と、
前記上面カバー部の一端に曲部を介して連設され、前記端子接続部の側面を被覆する側面カバー部と
を有することを特徴とする請求項１から請求項３のいずれか一項に記載の端子台。
【発明の詳細な説明】
【技術分野】
【０００１】
本発明は、電気設備の制御回路等に使用される端子台に関する。詳しくは、１個または複数個の端子接続部に対して１つのカバーを設けるものである。
【背景技術】
【０００２】
電気設備の制御回路等には、配線接続用の端子台が使用されている。端子台は、ベース部と、ベース部上に設けられた複数の端子部と、端子部間を仕切る側壁部とを備えている。端子台の上面部には、電気回路の短絡や地絡防止するために、端子の上面を被覆するカバー部材が取り付けられる。カバー部材は、例えば、一枚の長尺状の平板からなり、端子台上に設けられた複数の端子全体を被覆する構成となっている。
【０００３】
例えば、特許文献１には、基台上に設けられた外壁に形成した溝部にカバーを挿入した後、この溝部に沿ってカバーをスライドさせ、カバーを係合部に係合するようにした端子台が開示されている。この端子台によれば、簡単な作業により端子の上部を覆うようにカバーを確実に装着できるようになる。
【先行技術文献】
【特許文献】
【０００４】
【特許文献１】特開２０００−１１３９１８号公報
【発明の概要】
【発明が解決しようとする課題】
【０００５】
しかしながら、上記特許文献１等に開示される端子台では、接続端子の電圧測定や配線作業等の作業を行う場合に、作業対象となる端子がカバー部材により被覆されているので、カバー部材を端子台から取り外す作業が必要となる。このとき、カバー部材は、複数の端子の全てを被覆しているので、カバー部材の取り外しにより作業対象以外の端子も外部に露出してしまうことになる。この場合には、作業中の工具等の端子接触による感電事故や、端子間の導電部品の接触による短絡事故等を防止するために、作業対象以外の端子をビニルシートやテープで養生する作業が必要となってくる。そのため、従来の端子台の構成では、作業者の養生等の作業負担が増えてしまうという問題がある。
【０００６】
また、従来の端子台では、カバー部材において、経年劣化によるひび割れや破損が一箇所でも発生した場合、カバー部材全体を取り替えなければならず、カバー部材の交換コストが増加してしまうという問題がある。
【０００７】
そこで、本発明は、上記課題に鑑みてなされたものであり、養生作業の負担軽減を図ることで作業の効率化を図ると共に、カバー部材の破損等によるカバー部材の取り替え時の低コスト化を図った端子台を提供することを目的とする。
【課題を解決するための手段】
【０００８】
本発明は、上記課題を解決するために、端子台本体と、端子台本体上に所定間隔を隔てて立設された複数の壁部と、端子台本体上に設けられ、隣接する壁部間に配設された端子接続部と、１個または複数個の端子接続部毎に設けられ、端子接続部を被覆するカバー部材と、壁部のそれぞれに取り付けられるカバー取付部材とを備え、カバー取付部材は、カバー取付本体と、カバー取付本体の底面部に形成され、壁部の上端部に嵌め込まれる凹部と、カバー取付本体の側面部に形成され、カバー部材の側面部をスライド可能に支持する溝部とを有するものである。
【０００９】
本発明においては、複数の端子接続部のそれぞれに、各端子接続部を被覆するカバー部材が設けられる。すなわち、１個または複数個（全個数ではない）の端子接続部に対して１つのカバー部材が設けられる。カバー部材は、隣接する壁部に設けられた一対のカバー取付部材によってスライド可能に支持される。これにより、カバー部材をスライドさせてカバー取付部材に装着することで、端子接続部を被覆することができる。一方、カバー部材をスライドさせてカバー取付部材から取り外すことで、端子接続部を露出させることができる。
【発明の効果】
【００１０】
本発明によれば、１個または複数個の端子接続部の単位でカバー部材が設けられているので、配線作業を行う場合、作業対象の端子接続部に対応したカバー部材のみをカバー取付部材から取り外すことで、作業対象の端子接続部のみを露出させることができる。これにより、従来のように作業対象外の端子接続部のビニールテープ等による養生作業を不要とすることができ、その結果、作業性の向上を図ることができる。
【図面の簡単な説明】
【００１１】
【図１】本発明の第１の実施の形態に係る端子台の構成例を示す斜視図である。
【図２】端子台の構成例を示す平面図である。
【図３】端子台の構成例を示す側面図である。
【図４】カバー取付部材の構成例を示す図である。
【図５】カバーの構成例を示す図である。
【図６】本発明の第２の実施の形態に係る端子台の構成例を示す斜視図である。
【図７】カバー取付部材の構成例を示す図である。
【図８】本発明の第３の実施の形態に係る端子台の構成例を示す斜視図である。
【図９】端子台の構成例を示す平面図である。
【図１０】端子台のカバーの使用例を示す図である。
【発明を実施するための形態】
【００１２】
以下、発明を実施するための最良の形態（以下実施の形態とする）について説明する。
＜１．第１の実施の形態＞
［端子台の構成例］
図１、図２、図３は、本発明の第１の実施の形態に係る端子台１００Ａの構成の一例を示している。図１〜図３に示すように、端子台１００Ａは、端子台本体１０と端子接続部１４とカバー取付部材２０とカバー３０とを備えている。端子台本体１０は、細長で扁平状の直方体形状であって、例えばプラスチック等の樹脂材料から構成されている。端子台本体１０の上面部には、端子台本体１０の長手方向に沿って延在する中央仕切り部材４０が設けられている。
【００１３】
仕切り部材１２は、端子台本体１０の長手方向に所定間隔を隔てて立設されると共に、長手方向が端子台本体１０の短手方向に沿って延在している。本例では、仕切り部材１２が中央仕切り部材４０を介して並列（２列）に設けられ、仕切り部材１２の高さが中央仕切り部材４０の高さと略同一に選定されている。なお、仕切り部材１２は、壁部の一例を構成している。
【００１４】
端子接続部１４は、端子台本体１０の長手方向に隣接した仕切り部材１２，１２間であって、これらの仕切り部材１２，１２と中央仕切り部材４０とによって区画された領域に設けられている。端子接続部１４は、少なくともねじ部１６と導電体１８とから構成されている。電線の端子台１００Ａへの接続時には、ねじ部１６と導電体１８との間に圧着端子が挟持される。圧着端子には図示しない電線が接続される。
【００１５】
カバー取付部材２０は、例えばプラスチック等の樹脂材料からなり、各仕切り部材１２の上端部に取り付けられている。本例では、１枚のカバー３０の取り付けに対して対向する（端子台本体１０の長手方向に隣接する）一対のカバー取付部材２０，２０が用いられる。一対のカバー取付部材２０，２０は、カバー３０の側面部のそれぞれをスライド可能に支持し、端子接続部１４の上方の位置でカバー３０を固定する。カバー取付部材２０の詳細については後述する。
【００１６】
カバー３０は、アクリル等の絶縁材料からなり、カバー取付部材２０に着脱可能に取り付けられ、端子接続部１４の上面部や側面部を被覆するカバー部材として機能する。本例では、１つの端子接続部１４に対して１つのカバー３０が割り当てられており、端子接続部１４の両端側に設けられた一対のカバー取付部材２０，２０に挿脱可能に取り付けられる。カバー３０の詳細については後述する。
【００１７】
［カバー取付部材の構成例］
次に、カバー取付部材２０について説明する。図４（Ａ）はカバー取付部材２０の構成の一例を示す斜視図であり、図４（Ｂ）はその正面図であり、図４（Ｃ）はその側面図であり、図４（Ｄ）はその平面図であり、図４（Ｅ）その底面図である。図４（Ａ）〜図４（Ｅ）に示すように、カバー取付部材２０は、細長の略直方体形状からなるカバー取付本体２２を有し、その長手方向の長さＡ１が仕切り部材１２の長手方向の長さと略同一に選定されている。
【００１８】
カバー取付本体２２の底面部には、カバー取付部材２０を仕切り部材１２に取り付けるための凹部２４が形成されている。凹部２４は、カバー取付本体２２の長手方向の全長Ａ１に亘って形成されると共に、その幅方向の長さＡ２が仕切り部材１２の幅方向の長さと略同一に選定され、仕切り部材１２の上端部に嵌め込むことができるように構成されている。本例では、凹部２４の内周面または仕切り部材１２の上端面に接着剤が塗布され、カバー取付部材２０が仕切り部材１２に強固に固定される。なお、カバー取付部材２０の仕切り部材１２への取り付け方法は、接着剤に限定されることはなく、ねじ等の締結部材を用いても良い。
【００１９】
カバー取付本体２２の左右の側面部のそれぞれには、カバー３０の側面部をスライド可能に支持するための溝部２６が形成されている。溝部２６は、カバー取付部材２０の長手方向の全長Ａ１に亘って形成されている。なお、溝部２６のカバー挿入側の溝幅Ａ３を広げることによりカバー３０が溝部２６に挿入し易くなるように構成しても良い。
【００２０】
［カバーの構成例］
次に、カバー３０について説明する。図５（Ａ）はカバー３０の構成の一例を示す斜視図であり、図５（Ｂ）はその側面図であり、図５（Ｃ）はその平面図である。図５（Ａ）〜図５（Ｃ）に示すように、カバー３０は、側面形状が略Ｌ字形状であり、端子接続部１４の上面部を被覆するための上面カバー部３２と、端子接続部１４の側面部を被覆するための側面カバー部３４とから構成されている。上面カバー部３２は、その長手方向の長さＢ１がカバー取付部材２０の長手方向の長さＡ１（図５（Ｃ）参照）と略同一に選定され、その短手方向の長さＢ２が対向する一対のカバー取付部材２０，２０の溝部２６，２６間の長さＢ４（図３参照）に選定され、その厚みＢ３が溝部２６の溝幅Ａ３未満に選定される。
【００２１】
側面カバー部３４は、上面カバー部３２の外側の端部に連設され、この端部から鉛直方向（下方）に折り曲げられた折り曲げ片により構成されている。側面カバー部３４の鉛直方向の長さを長くすることで、端子接続部１４の側面部を確実に被覆することができるようになる。また、側面カバー部３４は、カバー３０をカバー取付部材２０に取り付ける際のユーザが把持する把持部としても機能する。
【００２２】
［端子台の使用例］
次に、上述した端子台１００Ａの使用の一例について説明する。図１〜図５に示すように、ユーザは、端子接続部１４をカバー３０で被覆する場合には、例えばカバー３０の側面カバー部３４を把持し、この端子接続部１４の両端側に設けられたカバー取付部材２０，２０の溝部２６，２６のそれぞれにカバー３０の側面部を挿入してスライドさせ、カバー３０をカバー取付部材２０，２０に取り付ける。これにより、一つのカバー３０により一つの端子接続部１４を被覆することができる。
【００２３】
一方、カバー３０で被覆した端子接続部１４の作業を行う場合には、作業対象の接続端子部１４を露出させるために、カバー３０の側面カバー部３４を把持し、カバー３０を外側に引っ張ってスライドさせてカバー３０をカバー取付部材２０，２０から取り外す。本例では、１つの端子接続部１４に１つのカバー３０が割り当てられているので、作業対象となっている端子接続部１４のみを露出させて、配線作業を行うことができる。
【００２４】
以上説明したように、第１の実施の形態では、１つの端子接続部１４を１つのカバー３０で被覆するので、配線作業を行う場合、作業対象となる端子接続部１４を被覆するカバー３０のみをカバー取付部材２０から取り外せば良い。そのため、従来のように、作業対象外の端子接続部１４が一緒に露出してしまうことを防止でき、ビニールテープ等による養生作業を不要とすることができる。その結果、養生作業等の作業負担を軽減することができ、作業性の向上を図ることができる。
【００２５】
また、従来では、仮にカバーの一箇所に破損等が生じた場合、カバーが一枚で構成されているため、損傷等がない部分があってもカバー全体を取り替えなければならなかった。これに対し、第１の実施の形態によれば、個々の端子接続部１４毎にカバー３０が設けられているので、カバー３０が破損等した場合には、破損等したカバー３０のみを取り替えれば良いため、カバー３０の無駄を排除することができる。そのため、カバー全体を取り替える場合と比べて、取り替えるカバー面積も小さくなるので、カバー取り替え時の費用を低く抑えることができる。
【００２６】
また、第１の実施の形態によれば、カバー３０がカバー取付部材２０にスライド可能に支持されるので、カバー３０の装着や取り外しを簡単に行うことができ、作業者のカバー３０の取り扱いにおける負担を軽減することができる。
【００２７】
さらに、第１の実施の形態によれば、仕切り部材１２の上端部にカバー取付部材２０を嵌め込んで接着剤等により取り付けるので、既存の端子台に改造を加えることなくカバー３０を仕切り部材１２に取り付けることができる。そのため、既存の端子台をそのまま利用することができるので、コストをかけることなく本発明を実現することができる。
【００２８】
＜２．第２の実施の形態＞
第２の実施の形態は、カバー取付部材２０の溝部２６のスライド方向を湾曲させる点において上記第１の実施の形態と相違している。なお、その他の端子台１００Ｂの構成は、上記第１の実施の形態の端子台１００Ａと同様であるため、共通の構成要素には同一の符号を付し、詳細な説明は省略する。
【００２９】
［端子台の構成例］
図６は、本発明の第２の実施の形態に係る端子台１００Ｂの構成の一例を示している。図７は、カバー取付部材２０の溝部２６の構成の一例を示している。図６および図７に示すように、カバー取付部材２０の溝部２６は、その両端部２６ａ，２６ｂのそれぞれから中央部２６ｃに向かって緩やかに傾斜（湾曲）するように構成されている。すなわち、溝部２６のスライド経路（溝方向）が、上記第１の実施の形態のように直線状ではなく、緩やかな山形形状となるように形成されている。なお、溝部２６の変形は、一対の対向するカバー取付部材２０，２０のうち一方の溝部２６の溝形状を湾曲させるようにしても良い。
【００３０】
第２の実施の形態によれば、溝部２６が湾曲しているので、カバー取付部材２０にカバー３０が装着された状態でカバー３０に引っ張り方向の力が働いた場合でも、溝部２６が抵抗となるので、カバー３０のカバー取付部材２０からの脱落することを防止できる。カバー３０のカバー取付部材２０への挿入時は、カバー３０は若干の弾力性を有しているので、溝部２６の湾曲が障害となることなく、カバー３０を溝部２６にスライド挿入して取り付けることができる。
【００３１】
＜３．第３の実施の形態＞
第３の実施の形態では、隣接する２個の端子接続部１４，１４を被覆可能なようにカバー３０を構成している点において上記第１および第２の実施の形態と相違している。なお、その他の端子台１００Ｃの構成は、上記第１の実施の形態の端子台１００Ａと同様であるため、共通の構成要素には同一の符号を付し、詳細な説明は省略する。
【００３２】
［端子台の構成例］
図８および図９は、本発明の第３の実施の形態に係る端子台１００Ｃの構成の一例を示している。図８および図９に示すように、カバー取付部材２０は、中央仕切り部材４０を介して並列に配設されている。並列に配置されたカバー取付部材２０は、互いに同一ピッチで配置されると共に、並列したカバー取付部材２０の長手方向が直線状（平行）に配置され、カバー３０が中央仕切り部材４０を跨ってスライド挿入できるようになっている。なお、上記第２の実施の形態で説明したように、並列に配設されたカバー取付部材２０の溝部２６の溝形状を湾曲させることで、カバー３０の脱落を防止できるように構成しても良い。
【００３３】
図９に示すように、カバー３０の長手方向の長Ｃ１さは、端子台本体１０の短手方向（スライド方向）に沿って並列に配置された２個の連続する端子接続部１４，１４を覆うことが可能な長さに選定される。具体的には、カバー３０の長さＣ１は、端子台本体１０の短手方向に配列された２個の端子接続部１４，１４を跨るような長さであって、例えば、端子台本体１０の短手方向の長さＡ１と略同一に選定される。
【００３４】
［端子台の使用例］
図１０（Ａ）〜図１０（Ｃ）は、本発明の第３の実施の形態に係る端子台１００Ｃの使用例を示している。図１０（Ａ）では全ての端子接続部１４にカバー３０が装着されている。まず、図１０（Ａ）に示す端子台１００Ｃの最も右側に配列された端子接続部１４Ａの配線作業を行う場合には、図１０（Ａ）および図１０（Ｂ）に示すように、カバー３０Ａが装着された状態からカバー３０Ａを図１０（Ｂ）の下方向にスライドさせてカバー取付部材２０Ａ，２０Ａからカバー３０Ａを取り外して端子接続部１４Ａを露出させると共に、端子接続部１４Ｂについては被覆させた状態でカバー３０Ａを停止させる。このとき、端子接続部１４Ｂ以外の端子接続部１４については、カバー３０Ａとは独立して設けられたカバー３０によって被覆されている。したがって、本例によれば、作業対象外の端子接続部１４Ｂを露出させることなく、作業対象の端子接続部１４Ａのみを露出させた状態で作業を行うことができる。
【００３５】
また、端子接続部１４Ｂの作業を行う場合には、図１０（Ｃ）に示すように、カバー３０Ａを図１０（Ｃ）の下方向にスライドさせていき、カバー３０Ａをカバー取付部材２０Ｂ，２０Ｂから取り外すことで、端子接続部１４Ｂを露出させる。このカバー３０Ａの取り外しにより、作業対象外の端子接続部１４Ａが露出してしまうものの、他の作業対象外の端子接続部１４については、カバー３０Ａとは独立したカバー３０によって被覆されているので、作業対象外で露出してしまう端子接続部１４を最小限に抑えることができる。このカバー３０Ａの操作は、端子接続部１４Ａ，１４Ｂの双方の配線作業を行う場合についても適用できる。
【００３６】
次に、カバー３０Ａを取り付けて端子接続部１４Ａ，１４Ｂを被覆させる場合について説明する。カバー３０Ａを下方側のカバー取付部材２０Ｂ，２０Ｂにカバー３０Ａを挿入してスライドさせ、中央仕切り部材４０上を通過させ、上方側のカバー取付部材２０Ａ，２０Ａに挿入してスライドさせることで、カバー３０Ａをカバー取付部材２０Ａ，２０Ａに装着する。これにより、端子台本体１０の短手方向に並列（連続）に配置される２個の端子接続部１４Ａ，１４Ｂを、一枚のカバー３０Ａによって被覆することができる。
【００３７】
以上説明したように、第３の実施の形態によれば、１枚のカバー３０によって並列方向に配置された端子接続部１４，１４を同時に被覆することができ、１枚のカバー３０で１個の端子接続部１４を被覆させる場合よりもカバー３０の装着作業の効率化を図ることができる。また、上記第１の実施の形態と同様に、カバー３０の一箇所に破損等が生じた場合でも、破損等が生じたカバー３０のみを取り替えれば良いので、低コスト化を図ることができる。さらに、作業対象外の端子接続部１４の露出を最小限に抑えることができるので、ビニールテープ等による養生作業を不要とすることができ、その結果、作業性の向上を図ることができる。
【００３８】
なお、本発明の技術範囲は、上述した実施形態に限定されるものではなく、本発明の趣旨を逸脱しない範囲において、上述した実施形態に種々の変更を加えたものを含む。
【符号の説明】
【００３９】
１０・・・端子台本体、１２・・・仕切り部材（壁部）、１４・・・端子接続部、２０・・・カバー取付部材、２２・・・凹部、２４・・・溝部、３０・・・カバー（カバー部材）、３２・・・上面カバー部、３４・・・側面カバー部、１００Ａ，１００Ｂ，１００Ｃ・・・端子台
【図１】
0005518693.tif 000002
【図２】
0005518693.tif 000003
【図３】
0005518693.tif 000004
【図４】
0005518693.tif 000005
【図５】
0005518693.tif 000006
【図６】
0005518693.tif 000007
【図７】
0005518693.tif 000008
【図８】
0005518693.tif 000009
【図９】
0005518693.tif 000010
【図１０】
0005518693.tif 000011